(57)【要約】      （修正有）【課題】日時指定を伴わないスケジュールやタスクを登録した場合であっても、簡単な設定でユーザにリマインド通知を行うことができる携帯端末を提供する。【解決手段】制御部１０内のアプリ起動部１０１がアプリケーションを起動すると、リマインド条件取得部１０２は、起動したアプリケーションが、リマインド条件記憶部２１に格納している、少なくとも１つのリマインド条件に該当する起動アプリかを確認する。起動したアプリケーションが少なくとも１つのリマインド条件に該当し、該当するリマインド条件のタスクが完了していない場合、リマインド条件取得部１０２は、該当するリマインド条件のタスク内容を表示部１２に表示させる。【選択図】図１
2011109184.tif 000002
【特許請求の範囲】
【請求項１】
アプリケーションを格納する第１の記憶部と、
少なくともタスク内容および前記第１の記憶部に格納された前記アプリケーションとをリマインド条件として設定するリマインド条件設定部と、
前記リマインド条件設定部で設定した少なくとも１つのリマインド条件を格納する第２の記憶部と、
前記第１の記憶部に格納された前記アプリケーションを起動するアプリ起動部と、
前記アプリ起動部で起動した前記アプリケーションが、前記第２の記憶部に格納された所定のリマインド条件に設定されている場合、当該リマインド条件に設定されているタスク内容を取得する取得部と、
前記取得部で取得した前記タスク内容を表示する表示部と、
を有することを特徴とする携帯端末。
【請求項２】
前記リマインド条件設定部は、リマインド条件として宛先を更に設定し、
前記取得部は、前記アプリ起動部で起動した前記アプリケーションが、前記第２の記憶部に格納された所定のリマインド条件に設定され、かつ前記アプリケーション上で入力された宛先が、前記リマインド条件に設定されている場合、前記リマインド条件に設定されているタスク内容を取得し、
前記表示部は、前記取得部で取得した前記タスク内容を表示するよう構成される、
ことを特徴とする請求項１記載の携帯端末。
【請求項３】
前記第２の記憶部は、前記リマインド条件に設定されるタスク内容について、完了済または未完了のいずれかを記憶し、
前記取得部は、前記第２の記憶部に格納されている前記リマインド条件のタスク内容が未完了である場合、前記リマインド条件に設定されている未完了のタスク内容を取得し、
前記表示部は、前記取得部で取得した、前記未完了のタスク内容を表示するよう構成される、
ことを特徴とする請求項１または２記載の携帯端末。
【請求項４】
現在の日時情報を取得設定する日時設定部を更に有し、
前記リマインド条件設定部は、前記リマインド条件として前記タスク内容が完了されるべき期限日時を更に設定し、
前記第２の記憶部に格納されている、前記リマインド条件のタスク内容が未完了であり、かつ前記日時設定部で取得設定した現在の日時が、前記期限日時と合致または経過した場合、前記取得部は、当該リマインド条件の未完了のタスク内容を取得し、
前記表示部は前記未完了のタスク内容を表示するよう構成される、
ことを特徴とする請求項３記載の携帯端末。
【発明の詳細な説明】
【技術分野】
【０００１】
本発明は、スケジュール機能やタスク管理機能を備えた携帯端末であり、特にスケジュールやタスクのリマインド表示を行う携帯端末に関する。
【背景技術】
【０００２】
最近の携帯端末には、カレンダーおよび時計機能を用いた、スケジュール管理機能やタスク管理機能が備えられている。ユーザはスケジュールの該当日に用件を登録したり、タスクとして用件と日時を登録したりすることが可能である。携帯端末はこのスケジュール管理機能やタスク管理機能を用いて、登録した日時になるとアラームで用件を通知したり、用件を画面に表示したりと、ユーザに用件を思い出させる機能を備えている。この機能はリマインド機能と呼ばれている。
【０００３】
特許文献１には、電話帳データの一覧が表示され、表示された所定の電話帳データにカーソルを合わせたときに、振動を用いてユーザに報知する技術が開示されている。
【先行技術文献】
【特許文献】
【０００４】
【特許文献１】特開２００９−１７４８７号公報
【発明の概要】
【発明が解決しようとする課題】
【０００５】
しかしながら、従来の携帯端末におけるリマインド機能は、現在の日時が登録日時になったときに、登録したスケジュールやタスクをユーザに通知する機能となっている。そのため、日時指定を伴わないタスク、例えば「Ａについて調べる」、「Ｃさんにメールをする」といったタスクについては、従来の日時の登録が必要なリマインド機能ではユーザに通知することができなかった。
【０００６】
本発明はこのような点を考慮してなされたもので、日時指定を伴わないスケジュールやタスクを登録した場合であっても、簡単な設定でユーザにリマインド通知を行うことができる携帯端末を提供することを目的とする。
【課題を解決するための手段】
【０００７】
本発明に係る携帯端末は、アプリケーションを格納する第１の記憶部と、少なくともタスク内容および前記第１の記憶部に格納された前記アプリケーションとをリマインド条件として設定するリマインド条件設定部と、前記リマインド条件設定部で設定した少なくとも１つのリマインド条件を格納する第２の記憶部と、前記第１の記憶部に格納された前記アプリケーションを起動するアプリ起動部と、前記アプリ起動部で起動した前記アプリケーションが、前記第２の記憶部に格納された所定のリマインド条件に設定されている場合、当該リマインド条件に設定されているタスク内容を取得する取得部と、前記取得部で取得した前記タスク内容を表示する表示部と、を有することを特徴とする。
【発明の効果】
【０００８】
本発明に係る携帯端末によれば、日時指定を伴わないスケジュールやタスクを登録した場合であっても、簡単な設定でユーザにリマインド通知を行うことができる。
【図面の簡単な説明】
【０００９】
【図１】本発明の一実施形態に係る携帯端末の概略構成を示すブロック図。
【図２】同上の実施形態における、リマインド条件記憶部に格納されたリマインド条件の例を示す図。
【図３】同上の実施形態におけるリマインド条件の入力動作を示すフローチャート。
【図４】同上の実施形態におけるリマインド設定アプリの、（Ａ）条件１を設定する前のタスク一覧画面表示を示す図、（Ｂ）条件１の詳細画面を示す図、（Ｃ）条件１を設定した後のタスク一覧画面表示を示す図、（Ｄ）起動アプリ欄選択時のアプリケーション選択表示を示す図。
【図５】同上の実施形態における宛先欄選択時の、（ａ）宛先選択画面を示す図、（ｂ）直接入力画面を示す図、（ｃ）アドレス帳表示画面を示す図、（ｄ）着信履歴画面を示す図、（ｅ）発信履歴画面を示す図。
【図６】同上の実施形態におけるタスク内容の表示動作を示すフローチャート。
【図７】同上の実施形態における、条件１と合致した場合の画面表示の例を示す図。
【図８】同上の実施形態における、条件２と合致した場合の画面表示の例を示す図。
【図９】同上の実施形態における、条件３と合致した場合の画面表示の例を示す図。
【発明を実施するための形態】
【００１０】
以下、本発明の実施形態を添付図面に基づいて説明する。
【００１１】
図１は、本発明の一実施形態に係る携帯端末１の概略構成を示すブロック図である。携帯端末１は、制御部１０、電源回路部１１、表示部１２、操作部１３、音声制御部１４、無線通信部１５、記憶部１６、情報記憶媒体１７、日付・時刻設定部１８、リマインド条件記憶部２１、発着信履歴記憶部２２、アドレス帳データベース２３がバスによって相互に通信可能に接続されて構成されている。
【００１２】
電源回路部１１は、電力供給源（バッテリ等）を備え、操作部１３の操作キーを介した入力に基づいて携帯端末１の電源のＯＮ／ＯＦＦ状態を切り替え、電源がＯＮ状態の場合に電力供給源から各部に対して電力を供給して、携帯端末１を動作可能にする。
【００１３】
表示部１２はモニタ等であり、制御部１０の制御に基づいて文書データや画像データ等を表示する。操作部１３はタッチパネルや操作キー等の入力装置である。
【００１４】
音声制御部１４は、制御部１０の制御に基づいて、マイクロフォン１４２で集音された音声からアナログ音声信号を生成し、このアナログ音声信号をデジタル音声信号に変換する。また音声制御部１４は、デジタル音声信号を取得すると、制御部１０の制御に基づいて、このデジタル音声信号をアナログ音声信号に変換し、スピーカ１４１から音声として出力する。
【００１５】
無線通信部１５は、制御部１０の制御に基づいて、基地局からアンテナ１５ａを介して受信した受信信号を処理してデータを復元する。このデータは、制御部１０の指示により、音声制御部１４に伝送されてスピーカ１４１から出力されたり、表示部１２に伝送されて表示されたり、または記憶部１６に記録されたりする。また無線通信部１５は、制御部１０の制御に基づいて、マイクロフォン１４２で集音された音声データや操作部１３で入力されたデータや記憶部１６に記憶されたデータを取得すると、これらのデータの処理を行い、基地局に対してアンテナ１５ａを介して送信する。
【００１６】
日付・時刻設定部１８は、携帯端末１内の時計の情報を取得し設定する。あるいは日付・時刻設定部１８は、外部の基地局から日付および時刻情報を取得し設定してもよい。
【００１７】
記憶部１６は、制御部１０や無線通信部１５などのワーク領域となるもので、その機能はＲＡＭ（Ｒａｎｄｏｍ  Ａｃｃｅｓｓ  Ｍｅｍｏｒｙ）などにより実現できる。
【００１８】
情報記憶媒体１７（コンピュータにより読み取り可能な媒体）は、プログラムやデータなどを格納するものであり、その機能は、ハードディスク、或いはメモリ（Ｆｌａｓｈ Ｍｅｍｏｒｙ、ＲＯＭ：Ｒｅａｄ  Ｏｎｌｙ  Ｍｅｍｏｒｙ）などにより実現できる。情報記憶媒体１７には、本実施形態の各部としてコンピュータを機能させるためのプログラム（各部の処理をコンピュータに実行させるためのプログラム）、複数のアプリケーション等が記憶される。情報記憶媒体１７内に格納されるアプリケーションは、例えばメールの作成および送受信を行うメーラー１７１、インターネットの閲覧を行うブラウザ１７２、タスク内容の登録および通知の設定を行うリマインド設定アプリ１７３、アドレス帳データの登録および閲覧を行うアドレス帳アプリ１７４等である。
【００１９】
制御部１０は、ＣＰＵ（Ｃｅｎｔｒａｌ  Ｐｒｏｃｅｓｓｉｎｇ  Ｕｎｉｔ）を具備する。制御部１０は、情報処理媒体１７に記憶された各種プログラムに基づき動作して、携帯端末１の総括的な制御を行う。また制御部１０は、アプリ起動部１０１、リマインド条件取得部１０２、リマインド条件設定部１０３を備える。アプリ起動部１０１は、情報記憶媒体１７内の各種アプリケーションを起動する。リマインド条件取得部１０２は、リマインド条件記憶部２１に記憶されたリマインド条件を取得する。リマインド条件設定部１０３は、タスク内容と、このタスク内容を表示部１２に表示する際に起動するアプリケーション（起動アプリ）、電話やメールの宛先、タスクの完了期限日を示すリマインド期限日時等のリマインド情報とを、リマインド条件として設定する。
【００２０】
リマインド条件記憶部２１は、リマインド条件設定部１０３で設定した複数のリマインド条件を格納する。また、そのタスクが完了済か否かを示すタスク完了情報をリマインド条件毎に記憶する。図２にリマインド条件記憶部２１に格納された複数のリマインド条件とタスク完了情報の例を示す。リマインド条件は、あらかじめユーザが操作部１３で入力し登録する。詳細は後述する。
【００２１】
発着信履歴記憶部２２は、ユーザが発信または受信した通話およびデータ通信の宛先を、所定件数分または所定期間内の件数分記憶する。アドレス帳データベース２３は、名前と電話番号やメールアドレス等のアドレス帳データを記憶する。
【００２２】
＜リマインド条件の入力＞
次に、上記構成の携帯端末１における、リマインド条件記憶部２１に格納するリマインド条件の入力動作の一例について、図３のフローチャートおよび図４の画面表示例を参照して説明する。本実施形態では図２に示す「リマインド条件１」の内容を登録する動作について説明する。
【００２３】
ユーザが操作部１３を用いてタスク一覧の表示を指示すると、制御部１０内のアプリ起動部１０１は、情報記憶媒体１７内に格納しているリマインド設定アプリ１７３を起動し、リマインド条件取得部１０２は、リマインド条件記憶部２１に格納されている全てのリマインド条件を取得する。アプリ起動部１０１は、リマインド条件取得部１０２で取得した各リマインド条件のタスクの内容を、タスク一覧として表示部１２に表示させる（ステップＳ１０１）。図４（Ａ）はリマインド条件１を登録する前のタスク一覧の画面の例である。図４（Ａ）の画面表示において、条件２と条件３が現在登録されており、条件が登録されていない番号には「（新規登録）」の表示をして、新しい条件の登録が可能であることをユーザに示している。ユーザが操作部１３を用いて「（新規登録）」と表示されているリマインド条件１を選択すると（図４（Ａ）の網掛け部）、アプリ起動部１０１は、図４（Ｂ）に示すリマインド条件１の詳細画面を起動し表示部１２に表示させる（ステップＳ１０３）。ユーザは操作部１３を用いて、タスク内容、リマインド期限日時、起動アプリ、宛先を図４（Ｂ）の所定の欄に入力する（ステップＳ１０５）。入力の詳細は後述する。
【００２４】
ユーザが図４（Ｂ）の各欄への入力を終えて「設定」ボタンを押下すると、リマインド条件設定部１０３は入力した項目内容を「リマインド条件１」として設定し、リマインド条件記憶部２１に格納する（ステップＳ１０７）。図４（Ｃ）は、リマインド条件１を設定した後のタスク一覧の画面の例である。図４（Ｃ）の画面では各条件におけるタスク内容の一部が表示されるが、任意のリマインド条件にカーソルを当てると（図４（Ｃ）の網掛け部）、当該条件におけるタスク内容の全てが横にスクロール表示されてもよい。タスク一覧画面のタスク内容を選択すると、選択した条件の詳細画面（図４（Ｂ））が表示される。
【００２５】
ステップＳ１０５における入力の詳細について述べる。図４（Ｂ）において、タスク内容欄５１には、表示したいタスクの内容「Ａさんへお礼のメールをする」をユーザが直接入力する。リマインド期限日時欄５２には、当該タスクの完了期限日である「２００９年７月２９日  １２：００」をユーザが直接入力する。または、リマインド期限日時欄５２が選択されると、携帯端末１に内蔵されているカレンダーがリマインド期限日時欄５２の近傍に表示され、ユーザがこの表示されたカレンダーから日付を選択して入力する構成としてもよい。
【００２６】
起動アプリ欄５３が選択されると、制御部１０は起動アプリ欄５３の下部に、図４（Ｄ）に示すアプリケーション選択のドロップダウンリストを表示部１２に表示させる。図４（Ｄ）に表示するアプリケーションは、情報記憶媒体１７にあらかじめ格納されているアプリケーションである。図４（Ｄ）の例では、「メール」、「ブラウザ」、「アドレス帳」のアプリケーションを選択させるよう表示しているが、上記３種以外にも、情報記憶媒体１７に格納されており、タスクの内容が表示可能なアプリケーションであれば、ユーザ所望のアプリケーションを指定可能な構成としてもよいし、また指定可能なアプリケーションが複数であってもよい。
【００２７】
図４（Ｂ）の宛先欄５４に「Ａさん」を入力する詳細について図５に示す。宛先欄５４が選択されると、制御部１０は表示部１２に、宛先選択画面（ａ）を宛先欄５４の近傍に表示させる。ユーザは、「直接入力」、「アドレス帳」、「着信履歴」、「受信履歴」のいずれかを選択可能である。
【００２８】
ユーザが宛先選択画面５４０から「１．直接入力」を選択した場合、制御部１０は電話番号またはメールアドレス等を入力する直接入力画面（ｂ）を表示部１２に表示させる。ユーザは操作部１３を用いて、直接入力画面（ｂ）にＡさんの電話番号またはメールアドレス等を入力する。
【００２９】
またユーザが宛先選択画面（ａ）で「２．アドレス帳」を選択した場合、制御部１０はアドレス帳データベース２３に格納されたアドレス帳データを読み出し、アドレス帳表示画面（ｃ）として表示部１２に表示させる。アドレス帳データには、電話番号とメールアドレスの両方が登録されている宛先もあれば、どちらか片方のみ登録されている宛先もある。本実施形態のアドレス帳表示画面（ｃ）では、登録されている宛先の電話番号あるいはメールアドレス、またはその両方をアイコンで示している。ユーザは操作部１３を用いて、アドレス帳表示画面（ｃ）からＡさんの電話番号またはメールアドレス等のアドレス帳データを検索し選択する。
【００３０】
またユーザが宛先選択画面（ａ）から「３．着信履歴」を選択した場合、制御部１０は発着信履歴記憶部２２に格納された電話番号およびメールアドレス等の着信履歴を読み出し、着信履歴画面（ｄ）として表示部１２に表示させる。本実施例の着信履歴画面（ｄ）では、簡単のため、電話の着信履歴とメールの着信履歴とを混在して表記しており、アイコンで電話着信かメール着信かを判るように表記している。ユーザは操作部１３を用いて、着信履歴画面（ｄ）からＡさんの電話番号またはメールアドレス等の宛先データを検索し選択する。ユーザが「４．発信履歴」を選択した場合も、制御部１０は着信履歴の場合と同様に、発信履歴画面（ｅ）を表示部１２に表示させる。以上により、リマインド条件１の詳細入力が完了される。
【００３１】
なお、タスク一覧画面では、タスクが完了された旨を示すチェックボックスを条件毎に設けている。タスクを完了したユーザは、リマインド設定アプリ１７３を起動してタスク一覧画面を開き、画面の各条件の左側にある「完了」のチェックボックスにチェックを行う。リマインド条件設定部１０３は、「完了」のチェックがなされたリマインド条件について「タスク完了済」と設定し、リマインド条件記憶部２１に記憶する。
【００３２】
＜タスク内容の表示＞
次に、設定したリマインド条件に基づいて表示部１２にタスク内容を表示する動作の一例について、図６のフローチャートを参照して説明する。
【００３３】
ユーザが操作部１３を用いて所定のアプリケーションを起動する指示を行うと、アプリ起動部１０１は当該アプリケーションを起動する（ステップＳ２０１）。次に制御部１０内のリマインド条件取得部１０２は、ステップＳ２０１で起動したアプリケーションが、リマインド条件記憶部２１に格納している、少なくとも１つのリマインド条件に該当する起動アプリかを確認する（ステップＳ２０３）。起動したアプリケーションが少なくとも１つのリマインド条件に該当している場合（ステップＳ２０３で「Ｙｅｓ」）、リマインド条件取得部１０２は、リマインド条件記憶部２１を参照し、該当するリマインド条件のタスクが完了しているか否かを確認する（ステップＳ２０４）。該当するリマインド条件のタスクが完了していない場合（ステップＳ２０４で「Ｎｏ」）、リマインド条件取得部１０２は、該当するリマインド条件に宛先設定がされているか否かを確認する（ステップＳ２０５）。
【００３４】
該当するリマインド条件に宛先設定がされている場合（ステップＳ２０５で「Ｙｅｓ」）、ステップＳ２０１で起動したアプリケーションでユーザが宛先を入力または選択を行うと（ステップＳ２０７）、リマインド条件取得部１０２は、該当するリマインド条件に合致する宛先か否かを確認する（ステップＳ２０９）。合致する宛先の場合（ステップＳ２０９で「Ｙｅｓ」）、リマインド条件取得部１０２は、該当するリマインド条件のタスク内容を表示部１２に表示させる（ステップＳ２１１）。
【００３５】
一方、ステップＳ２０１で起動したアプリケーションが該当するリマインド条件に、宛先設定がされていない場合（ステップＳ２０５で「Ｎｏ」）、リマインド条件取得部１０２は該当するリマインド条件のタスク内容を読み出し、表示部１２に表示させる（ステップＳ２１１）。
【００３６】
図７、８、９は、リマインド条件記憶部２１に格納されている条件１、２、３それぞれと合致した場合の表示部１２における画面表示例である。図７では、メーラー１７１を起動した場合に、ユーザが宛先に「Ａさん」のメールアドレスを入力すると、リマインド条件取得部１０２が条件１のタスク内容を読み出し、表示部１２に「Ａさんにお礼のメールをする」と表示させる。図８では、ブラウザ１７２を起動すると、リマインド条件取得部１０２が条件２のタスク内容を読み出し、表示部１２に「温泉宿について調べる」と表示させる。図９では、アドレス帳アプリ１７４を起動した場合に、アドレス帳一覧からＢさんを選択し詳細画面を開くと、リマインド条件取得部１０２が条件３のタスク内容を読み出し、表示部１２に「Ｂさんへ電話して、旅行について話をすること」と表示させる。それぞれのタスク内容の表示は、「ＯＫ」ボタンを押下することで消える。あるいは、所定時間経過すると表示が消える仕様でも良い。
【００３７】
なお図９では、アドレス帳の詳細画面を表示した際にタスク内容を表示しているが、アドレス帳一覧で「Ｂさん」にカーソルを当てたとき、またはアドレス帳の詳細画面から「Ｂさん」に発呼しようとしたときに、タスク内容を表示する構成であっても良い。
【００３８】
＜期限日時の設定に基づくタスク内容の表示＞
なお、リマインド条件にリマインド期限日時を設定し、設定した期限日時になってもタスクが完了されていないとされる場合、表示部１２に現在表示されている画面に依らず、その期限日時になったら当該タスク内容を画面表示させてもよい。つまり、リマインド条件記憶部２１に格納されている、「タスク完了済」とされていないリマインド条件のうち、日付・時刻設定部１８で設定している現在の日時が、当該リマインド条件内のリマインド期限日時と合致した場合、リマインド条件取得部１０２は、当該リマインド条件のタスク内容を呼び出し、表示部１２にこのタスク内容を表示させる。このタスク内容の表示は、リマインド期限日時を過ぎると、ユーザがタスク一覧画面で該当するリマインド条件について「完了」のチェックボックスにチェックを行うまでの間、例えば所定時間毎または所定のアプリ起動時毎に行われる。
【００３９】
また、前述した図６の実施形態では、リマインド条件で設定した期限日時に関わらず、起動アプリや宛先設定に基づいてタスク内容が表示されるため、期限日時前に表示されることも可能であるが、期限日時になって初めて表示部１２に、未完了のタスク内容を表示しても良い。
【００４０】
以上本発明は、タスク内容を表示してユーザに思い出させるリマインド機能を有した携帯端末において、タスク内容とアプリケーションをリマインド条件として登録し、リマインド条件に該当するアプリケーションを起動すると、当該リマインド条件に登録したタスク内容が表示される。よって、日時を指定しないタスク内容でも表示部に表示することができ、ユーザへの注意喚起を促すことができる。また、リマインド条件に更に宛先も設定することで、その宛先を入力したときのみタスク内容を表示することができ、不必要な表示を避けることができる。また、リマインド条件に更に期限日時も設定することで、期限日時になるとタスク内容を表示することができ、ユーザへの注意喚起を行う事ができる。
【００４１】
以上、本発明の実施形態について図面を参照して詳述してきたが、具体的な構成はこの実施形態に限られるものではなく、本発明の要旨を逸脱しない範囲の設計変更等も含まれる。
【符号の説明】
【００４２】
１…携帯端末、１０…制御部、１１…電源回路部、１２…表示部、１３…操作部、１４…音声制御部、１５…無線通信部、１５ａ…アンテナ、１６…記憶部、１７…情報記憶媒体、２１…リマインド条件記憶部、２２…発着信履歴記憶部、２３…アドレス帳データベース、１０１…アプリ起動部、１０２…リマインド条件取得部、１０３…リマインド条件設定部、１７１…メーラー、１７２…ブラウザ、１７３…リマインド設定アプリ、１７４…アドレス帳アプリ。
【図１】
2011109184.tif 000003
【図２】
2011109184.tif 000004
【図３】
2011109184.tif 000005
【図４】
2011109184.tif 000006
【図５】
2011109184.tif 000007
【図６】
2011109184.tif 000008
【図７】
2011109184.tif 000009
【図８】
2011109184.tif 000010
【図９】
2011109184.tif 000011